(57)【要約】      （修正有）【課題】本体に封入されている内容物を筒状体に向けて押し出す際に、押出し圧により内容物が本体と筒状体との間から漏れ出さないようにした部材構成が簡単で作業が容易な歯科用ミキシング装置を提供する。【解決手段】内容物が封入された本体１１０と、本体に回転自在に取り付けられた筒状体１３０とを備え、筒状体を回転することにより本体を封鎖状態から連通状態に移行し、内容物を本体から筒状体に向けて押し出すことにより筒状体に設けられている吐出口から吐出する。このとき、本体１１０と前記筒状体１３０とを連通する貫通孔と貫通孔の各々の周囲に配備されているリブ溝、リブ及びリブ溝、リブが線嵌合しつつその位置を保持している。このような構成となすことにより、本体１１０に封入されている内容物を筒状体１３０に向けて押し出す際に、押出し圧力により流動体が本体１１０と筒状体１３０との接合部から漏れ出すことがない。【選択図】図１
2009291234.tif 000002
【特許請求の範囲】
【請求項１】
筒状体との連結部と内容物が封入された収納容器とを備える本体には前記筒状体が該連結部の所定構成により回転自在に取り付けられていて、前記筒状体を回転することにより本体との関係が封鎖状態から連通状態へ切り換え可能であり、連通状態時に前記内容物を前記収納容器から前記筒状体内に向けて押し出すことにより該筒状体の先端に設けられている吐出口から吐出する歯科用ミキシング装置であって、
前記本体と前記筒状体とが接する各々の面おいて、その面の相対する位置には各々少なくとも二つを１組とするリブとリブ溝が設けられていて前記リブとリブ溝が線嵌合することにより連通状態または封鎖状態を維持する構成に形成されていることを特徴とする歯科用ミキシング装置。
【請求項２】
前記本体側には内容物を通すための周囲にリブ溝が凹設されている貫通孔とこの貫通孔と同じ大きさでレスト溝のみが凹設されている封止部とが設けられていて、前記筒状体には該内容物の押し出しを受けて通すための周囲にリブが設けられている貫通孔とこの貫通孔と同じ大きさでリブのみが凸設されている封止部とが設けられていることを特徴とする請求項１に記載の歯科用ミキシング装置。
【請求項３】
前記本体と前記筒状体の各々には少なくとも二つを一組とする貫通孔と封止部とが設けられていて、封鎖状態の時には封止部と貫通孔が相対し、連通状態の時には各々の封止部同士及び貫通孔同士が相対するようにされていて、このとき、前記リブとリブ溝とが少なくとも１箇所で線嵌合する構成にされていることを特徴とする請求項１又は２に記載の歯科用ミキシング装置。
【請求項４】
前記本体に配備されている連結部の構成が、前記筒状体を前記内容物の押出し方向と直交する軸回りに回転自在にするための構成であることを特徴とする請求項１〜３の何れか一項に記載の歯科用ミキシング装置。
【請求項５】
前記本体に配備されている連結部の構成が、前記筒状体の回転の方向と角度を規制するラチェット部として前記本体と前記筒状体にそれぞれ設けられている部材を含む構成であることを特徴とする請求項１〜４の何れか一項に記載の歯科用ミキシング装置。
【請求項６】
前記本体に配備されている連結部の構成が、前記筒状体を前記内容物の押出し方向と平行な軸回りに回転自在にするための構成であることを特徴とする請求項１〜３の何れか一項に記載の歯科用ミキシング装置。
【請求項７】
本体には少なくとも二つの収納容器を備えそれぞれ異なる内容物が封入されており、それら内容物が同じタイミングで筒状体内に押し出されると前記内容物は筒状体内に配備されている混合部材（ミキシングエレメント）により混合されて、前記筒状体の先端の吐出口から吐出されることを特徴とする請求項１〜６の何れか一項に記載の歯科用ミキシング装置。
【発明の詳細な説明】
【技術分野】
【０００１】
本発明は、筒状体との連結部と内容物が封入された収納容器とを備える本体には前記筒状体が該連結部の所定構成により回転自在に取り付けられていて、該筒状体を回転することにより本体と筒状体との関係が封鎖状態から連通状態に切り換えられ、収納容器内の内容物が筒状体に向けて押し出されると該筒状体内に配備されている混合部材（ミキシングエレメント）により混合され吐出口から吐出される歯科用ミキシング装置に関し、特に、未使用時及び内容物を押し出す際に本体と筒状体の隙間から該内容物の漏れを防止しつつ簡単な操作で封鎖状態から連通状態へ切り換えができる歯科用ミキシング装置に関する。
【背景技術】
【０００２】
例えば歯牙の欠損部を埋めるための歯科用充填材は、２種類以上の反応性物質を混合することにより使用される。このような歯科用充填材は、従来はシート上で手作業（手練り）により混合されていたが、近年は混合用のミキシングエレメントを備えたシリンジにより自動的に混合されるようになっている（特許文献１〜５参照）。このシリンジは、複数の収納容器からなる本体，キャップ、ピストン及び別体であるミキシングチップで構成されている。本体の先端ノズルはキャップで覆われていて、収納容器の後端には各々ピストン先端が挿入されている。少なくとも二つの収納容器内には反応性物質がそれぞれ封入されている。また、ミキシングチップ内にはスクリュー状の連続した羽を持つミキシングエレメントを配備した混合室が形成されている。
【０００３】
このような構成のシリンジを使用する場合には、先ず、本体の先端ノズルからキャップを取り外し、該先端ノズルにミキシングチップを差し込んで回動させることにより装着して、その位置を保持させておく。次に、ピストンを同じタイミングで収納容器内にそれぞれ押し込み、試出することにより混合状態を確認してからミキシングチップの先端の吐出口を歯牙の欠損部に位置決めして注入する。このような一連の作業により、収納容器内の反応性物質が歯牙の欠損部に充填されることになる。しかし、この種のシリンジでは、チップを本体に装着する作業が煩雑となっている。つまり、正確な位置合わせが行われないと内容物が漏れ出たり十分な混合が行われなかったりするので、ミキシングチップの本体に対する位置合わせが難しいという欠点がある。
【０００４】
また、別形態の例は、本体，ミキシングチップ及びディスペンサで構成されている。本体に備わる二つの収納容器内には反応性物質がそれぞれ封入されている。また、前述のシリンジと同様にミキシングチップ内には混合室が形成されている。このような構成のものを使用する場合は、先ず、収納容器の先端を除去（折り取る）することで開口し、ミキシングチップを所定の方向へ押し込むことで装着する。このミキシングチップを装着した本体をディスペンサの所定位置に装着する。しかる後、ディスペンサに備わるピストンを収納容器内に押し込む。後は前述のシリンジと同じ工程を経ることになる。しかし、このようなディスペンサを用いた方式では、ミキシングチップの位置合わせの苦労はなくなるがディスペンサという器具が必要になるという欠点がある。この他、シリンジの開封の後ミキシングチップを装着するという工程は前述例と同様であり、操作の煩雑さを解消するまでには至っていない。
【０００５】
更に別形態の例は、本体，キャップ付きチップ及びピストンで構成されている。本体前部には予めキャップ付きチップが装着され、本体（収納容器）後部にはそれぞれピストンが挿入されている。残りの工程は先の二例と同様である。ただ、このような構成のシリンジを使用する場合には、先ず、キャップ付きミキシングチップを本体の先端で９０°回動させ、本体側に押し込むことで本体とこのミキシングチップとの間にあるシールを解除する必要がある。即ち、本体（収納容器）の前部で内外をシールしていたゴム栓がこのミキシングチップに押圧されて当該収納容器内に押し込まれることによりシールが解除されることになる。しかし、この種のシリンジでは、部品点数が多くなるのでコスト高となる欠点がある。加えて、ゴム栓では変形し易いのでシール性が劣るという欠点もある。
【０００６】
この他同様用途のものでは、本体，ノズル及びピストンを備えたカプセルが提案されている（特許文献６参照）。本体の先端にはノズルが本体長手方向軸と直交する軸回りに回転自在に取り付けられミキシングエレメントが不要な構成になっている。このような構成のカプセルを使用する場合は、先ず、ピストンを本体内に押し込んで２種類の反応性物質間のシールを解除した後ミキサで練和し混合する。次に、本体の先端ノズルを９０°回転させて起こした後アプライヤに装着する。これにより、混合された反応性物質がノズルの吐出口から吐出されて歯牙の欠損部に充填される。このようなカプセルは予め組み立てられていて小型で簡易な部材構成であるため、作業時間は短時間で済みコストを低く抑えることもできるが多量の反応性物質を使用する場合には不向きである。尚、詳細な説明は省略するが、同様のノズルを備えた容器であって接着剤が収容された容器や魔法瓶も提案されている（特許文献７、８参照）。
【０００７】
【特許文献１】特開平８−２７６１２５号公報
【特許文献２】特開平９−１８７６３７号公報
【特許文献３】米国特許第６１８６３６３号公報
【特許文献４】米国特許第４７６７０２６号公報
【特許文献５】米国特許第４５３８９２０号公報
【特許文献６】特開昭６０−２５３４３８号公報
【特許文献７】実開平５−３５７０２号公報
【特許文献８】特表平９−５０８０４７号公報
【発明の開示】
【発明が解決しようとする課題】
【０００８】
上述したカプセルではミキシングエレメントは不要なので小型化が可能であり、混合した反応性物質を本体内から直接押し出すようになっている。しかしながら、本体内で２種類の反応性物質を混合するために用いる装置であるミキサが必須となる。ところがこのミキサを利用した混合には自ずと量的な限界が伴う。つまり、歯牙の欠損部位への充填などのように比較的少量の場合には有利であるが、口腔内の顎堤や歯牙の形状を採得するような場合（印象取得）には、同じく２種類の反応性物質を混合して用いるものの充填とは比較にならない多量使用の場合には使用できない。また、複数種の反応性物質をミキシングチップ内で混合する前述のシリンジタイプは該押出し圧力が高圧となるため本体とミキシングチップの間からの該反応性物質が漏れ出す虞がある。尚、接着剤用容器や魔法瓶は、本願発明と構成要素は似通っているが目的用途が異なるため本体とノズルとの間のシール性を殆ど考慮する必要がないので検討対象から除外する。
【０００９】
本発明の第１の目的は、本体の収納容器に封入されている複数種の内容物を、ミキシングチップである筒状体に向けて押し出す際に、加えられる押出し圧力により内容物が本体と筒状体との隙間から漏れ出ない確実性が高いばかりでなく，部材構成が少なくて，作業が楽な歯科用ミキシング装置を提供することにある。
更に、本発明の第２の目的は、使用前に内容物が漏れ出したり外気に触れて劣化したりすることを防止できる歯科用ミキシング装置の提供にある。
【課題を解決するための手段】
【００１０】
上記目的を達成するため、本発明に係る歯科用ミキシング装置は、筒状体との連結部と内容物が封入された収納容器とを備える本体には前記筒状体が該連結部の所定構成により回転自在に取り付けられていて、前記筒状体を回転することにより本体との関係が封鎖状態から連通状態へ切り換え可能であり、連通状態時に前記内容物を前記収納容器から前記筒状体内に向けて押し出すことにより該筒状体の先端に設けられている吐出口から吐出する歯科用ミキシング装置であって、前記本体と前記筒状体とが接する各々の面おいて、その面の相対する位置には各々少なくとも二つを１組とするリブとリブ溝が設けられていて前記リブとリブ溝が線嵌合することにより連通状態または封鎖状態を維持する構成に形成されていることを特徴としている。
【００１１】
更に本発明に係る歯科用ミキシング装置は、本体側には内容物を通すための周囲にリブ溝が凹設されている貫通孔とこの貫通孔と同じ大きさでレスト溝のみが凹設されている封止部とが設けられていて、前記筒状体には該内容物の押し出しを受けて通すための周囲にリブが設けられている貫通孔とこの貫通孔と同じ大きさでレストリブのみが凸設されている封止部とが設けられていることを特徴としている。これにより、使用時には内容物が漏れ出ないようなシール性の確保ができるし、保存時には内容物に圧が加わらないので漏れ出る虞がないから精度がそれほど必要とされないレスト溝とレストリブを用いることでコスト的に安くあげることも可能になる。もちろん、レスト溝がリブ溝と同等そしてレストリブがリブと同等の精度をもつものとなすことにより、いつでも同様にシール性を維持しているので、内容物の劣化や漏れを防ぐばかりでなく、一体的に装着されている筒状体が使用されるまでに当該位置を維持する機能も合わせ持つ。即ち、筒状体がミキシング道具として予め準備されていて何時でも使用できる状態にあるからミキシングエレメントの紛失や汚染などの虞がないし、内容物の保存容器としての機能も十分あるようにしても良い。
【００１２】
本体と筒状体の各々に設けられている貫通孔と封止部とは封鎖状態の時には封止部と貫通孔が相対し、連通状態の時には各々の封止部同士及び貫通孔同士が相対するようにされていて、このとき、前記リブとリブ溝とが少なくとも１箇所で線嵌合する構成にされている。これにより、シール性の確保が容易ながら内容物の種類の増加に合わせて簡単に増設できる。なぜなら、リブとリブ溝という比較的簡単な形状であるため加工も容易であり、Ｏリング等の別部品が不必要なためこれら別部品の装着忘れなどのミスの発生がない。
【００１３】
このとき、前記本体に配備されている連結部の構成が、前記筒状体を前記内容物の押出し方向と直交する軸回りに回転自在にするための構成にされていても良い。これにより、歯科用ミキシング装置が封鎖状態にあるか使用可能な連通状態にあるかを視覚的，触覚的に瞬時に確認することができる。これと合わせて連結部として筒状体の回転の方向と角度を規制するラチェット部として前記本体と前記筒状体にそれぞれ設けられている部材を含む構成にしておくと使い勝手が更に向上するので好ましい。
【００１４】
この他、前記本体に配備されている連結部の構成が、前記筒状体を前記内容物の押出し方向と平行な軸回りに回転自在にするための構成としても良い。これにより、歯科用ミキシング装置の輸送時や保管時等においても曲がり部分がないのでコンパクトな収納が可能になる。
そして前述の２タイプに共通する構成として、本体には少なくとも二つの収納容器を備えそれぞれ異なる内容物が封入されており、それら内容物が同じタイミングで筒状体内に押し出されると前記内容物は筒状体内に配備されている混合部材（ミキシングエレメント）により混合されて、前記筒状体の先端の吐出口から吐出される構成になっている。これにより、混合部材（ミキシングエレメント）を紛失したり，探したりする無駄がなくなるばかりでなく所定の混合比で確実に練和されるのでメーカーが標榜する物性を誰もが得られるようになる。
【発明の効果】
【００１５】
本発明に係る歯科用ミキシング装置は、本体には筒状体が予め回転自在に取り付けられており、この筒状体の回転移動だけで本体を封鎖状態から予め想定された連通状態に確実に移行させることができる。このような利点を持ちながら、製造者側は部材構成が簡単であるためコストを低く抑えることができるし、使用者（歯科医師など）側は作業が確実かつ容易であるため必要な作業を短時間で済ますこと（患者を待たせない）ができるという利点がある。そして、本体の貫通孔と筒状体の貫通孔との間が線嵌合によりシールされているので、本体に封入されている内容物を筒状体に向けて押し出す際に、該押出し圧力により流動体が本体と筒状体との接合部から漏れ出すことはない。
【発明を実施するための最良の形態】
【００１６】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１７】
図１は、本発明の歯科用ミキシング装置の第１の実施形態を示す斜視説明図であり、同図（Ａ）は歯科用ミキシング装置の使用前の状態を示す斜視説明図、同図（Ｂ）は歯科用ミキシング装置の使用時の状態を示す斜視説明図である。この歯科用ミキシング装置は、それぞれ反応性物質が封入されている二つの収納容器１１１ａ，１１１ｂと連結部１２０とからなる本体１１０と、その内部に該反応性物質を混合するためのミキシングエレメント（図示なし）を備えている筒状体１３０とからなる。しかして、２種類の反応性物質が収納容器１１１ａ，１１１ｂから押し出され筒状体１３０内を通過するうちに混合されその先端に位置している吐出口１３０ａから吐出される簡易混合型の歯科用ミキシング装置１００である。
【００１８】
より詳しく説明すると、筒状体１３０は本体１１０から反応性物質が押し出される方向を軸とすると予め所定の角度を持って倒れて取り付けられている。また、筒状体１３０は後で詳細に説明する連結部１２０により回転自在な状態となっている。しかして、筒状体１３０を図１（Ａ）の状態から図１（Ｂ）の状態に回転させる（引き起こす）ことにより収納容器１１１ａ，１１１ｂと筒状体１３０との関係が封鎖状態から連通状態に移行される。このとき、前述した反応性物質の押し出し方向の軸線と筒状体１３０の中心軸の向きが一致していることは言うまでもない。このような本願発明に係る歯科用ミキシング装置１００の詳細について、更に図を参照して説明する。
【００１９】
図２は、上記本体１１０の主要部を示す斜視説明図、図３は、上記筒状体１３０の主要部を示す斜視説明図、図４は、連結部１２０（本体１１０と筒状体１３０との取り付け部）を示す平面説明図である。
本体１１０は、図２に示すように、中空円筒状の二連の収納容器１１１ａ，１１１ｂと、該収納容器１１１ａ，１１１ｂの図示上端に一体成形された接続部１１２とで構成されている。収納容器１１１ａ，１１１ｂ内には、２種類の反応性物質がそれぞれ封入されている。接続部１１２には、後述の筒状体１３０の下端にある摺動面１３３ａ（図３参照）とその回転時に摺動接触する摺動面１１３ａを有する摺動部１１３と、筒状体１３０を回転自在に軸支する一対の軸受１１４ａ，１１４ｂと、反応性物質を筒状体１３０へ通す円形状の二つの貫通孔１１５ａ，１１５ｂが設けられている。前記二つの摺動面１１３ａ，１３３ａの曲率が仮想上の中心（本発明では、後述の回転軸１３４ａ，１３４ｂの軸心がこれに相当する。）を共有する同心円の軌跡と一致するようにして製作される必要があることは言うまでもない。
【００２０】
軸受１１４ａ，１１４ｂは、摺動面１１３ａの左右両側において収納容器１１１ａ，１１１ｂの図示上端を挟み込むように配備されている。この軸受１１４ａ，１１４ｂは図示上向きに開口し、回転軸１３４ａ，１３４ｂの直径に合致する具合にて上側が絞られているＵ字状溝１１４ａａ，１１４ｂｂがそれぞれ穿設されている。しかして、筒状体１３０の回転軸１３４ａ，１３４ｂがセットされた時に抜け落ちることを防止しつつ回転自在性が保証されることになる。尚、軸受１１４ａ，１１４ｂ付近の本体１１０には、筒状体１３０の回転時及び反応性物質の押出し時に掛かる力による軸受１１４ａ，１１４ｂの変形を抑えるため補強部１１０ａ（軸受１１４ａ側のみを示す）が設けても良い。また、図示横向きに開口する軸受１１４ａ，１１４ｂとしても良く、その場合はＵ字状溝１１４ａａ，１１４ｂｂの絞り寸法にはそれほど注意を払わないで済ますことができる。つまり、反応性物質の押し出し力圧力に比例して高まる該軸受１１４ａ，１１４ｂから回転軸１３４ａ，１３４ｂが抜け落ちる危険性を排除できることになる。
【００２１】
摺動面１１３ａには、本体側出口として貫通孔１１５ａ，１１５ｂが収納容器１１１ａ，１１１ｂの内部とそれぞれ繋がる孔の上端として開口している。筒状体１３０との間をシールする円形状の６つのリブ溝１１６ａ，１１６ｂ，１１７ａ，１１７ｂ，１１８ａ，１１８ｂ（以下、第１リブ溝１１６ａ，１１６ｂ，第２リブ溝１１７ａ，１１７ｂ，第３リブ溝１１８ａ，１１８ｂという）と、筒状体１３０の回転を規制する図２中の拡大図に示す楔形状の６つのラチェット部１１９ａ，１１９ｂ，１２０ａ，１２０ｂ，１２１ａ，１２１ｂ（以下、第１ラチェット部１１９ａ，１１９ｂ，第２ラチェット部１２０ａ，１２０ｂ，第３ラチェット部１２１ａ，１２１ｂという）が設けられている。尚、ラチェット部１１９ａ，１２０ａ，１２１ａは軸受１１４ａの影になって図示されていないが、ラチェット部１１９ｂ，１２０ｂ，１２１ｂと貫通孔１１５ａ，１１５ｂを挟んで同じ向きの同じ配置条件にて配置されている。
【００２２】
第２リブ溝１１７ａ，１１７ｂは、貫通口１１５ａ，１１５ｂをそれぞれ囲む同心円様にして形成されている。また、第１リブ溝１１６ａ，１１６ｂと第３リブ溝１１８ａ，１１８ｂは、第２リブ溝１１７ａ，１１７ｂを両側から所定距離を隔てて挟むようにして形成されている。即ち、第１リブ溝１１６ａと第２リブ溝１１７ａと第３リブ溝１１８ａは、回転軸１３４ａ，１３４ｂの軸心と直交する向きに配備されている。また、各ラチェット部１１９ａ，１１９ｂ，１２０ａ，１２０ｂ，１２１ａ，１２１ｂの配置がリブ溝１１６ａ，１１６ｂ，１１７ａ，１１７ｂ，１１８ａ，１１８ｂの配置を考慮して位置させられていることは当然のことである。つまり、後述する各リブが対応する各リブ溝に位置したときにその位置を保持することを支援することが、このラチェット部の目的機能となっているからである。
【００２３】
筒状体１３０は、図３に示すように、中空円筒状のハウジング１３１と、該ハウジング１３１の図示下端に位置するジョイントキャップ１３２とで構成されている。ハウジング１３１には、複数種の反応性物質を混合するためのミキシングエレメントが内蔵されているがこの図においては図示していない。このハウジング１３１は、ジョイントキャップ１３２の図示上部において嵌着，螺着，溶着及び接着等の手段を用いて一体化されている。ジョイントキャップ１３２には、前述したように摺動部１１３の摺動面１１３ａ（図２参照）と摺動接触する摺動部１３３と、それぞれ軸受１１４ａ，１１４ｂ（図２参照）に嵌め込まれる回転軸１３４ａ，１３４ｂが配備されている。また、この摺動部１３３には反応性物質をハウジング１３１のミキシングエレメントがある空間（室）へ導くための入り口となる円形状の二つの貫通孔１３５ａ，１３５ｂとこの貫通孔１３５ａ，１３５ｂ周囲に位置してドーナツ状に盛り上がる二つのリブ１３７ａ，１３７ｂとが配備され、更に他の要素として、前述のリブ１３７ａ，１３７ｂと同じ大きさ・形状をしているリブ１３８ａ，１３８ｂのみで形成され孔が穿設されていない二つの封止部１３６ａ，１３６ｂが前述の接続部１１２と同じ条件下で配備されている。
【００２４】
この摺動部１３３について更に説明すると、その形状は円柱体を軸方向に９０°の角度で切り出した形状に近似して形成されており、図示下部の摺動面１３３ａが、前述したように摺動部１１３の摺動面１１３ａと摺動接触するようになっている。回転軸１３４ａ，１３４ｂは、摺動部１３３の両側にてハウジング１３１の軸方向と直交する方向に突出するようにそれぞれ設けられているので、図１（Ａ）に示す使用前の状態では、本体の貫通孔１１５ａ，１１５ｂ（図２参照）と封止部１３６ａ，１３６ｂとが対向しており、筒状体１３０側の貫通孔１３５ａ，１３５ｂは、リブ溝１１６ａ，１１６ｂと対向するようにして位置することになる。
【００２５】
この他、摺動面１３３ａには、筒状体１３０の回転を規制するために前述の本体１１０の摺動面１１３ａに対抗する位置には、図３中の拡大図に示す楔形状の６つのラチェット部１３９ａ，１３９ｂ，１４０ａ，１４０ｂ，１４１ａ，１４１ｂ（以下、第１ラチェット部１３９ａ，１３９ｂ，第２ラチェット部１４０ａ，１４０ｂ，第３ラチェット部１４１ａ，１４１ｂという）が設けられている。これら全てのラチェット部の形状は互いに突出部分が相手方の部材内に凹んでいる部分の形状と一致するようにされていて所定の一方向のみに可動となっている。
【００２６】
以上のような構成の本体１１０に筒状体１３０を取り付ける場合は、本体１１０の摺動面１１３ａに筒状体１３０の摺動面１３３ａを対向させ、図４に示すように本体１１０の軸受１１４ａ，１１４ｂに筒状体１３０の回転軸１３４ａ，１３４ｂを嵌め込む。これにより、筒状体１３０を回転軸１３４ａ，１３４ｂを中心に本体１１０に対して図１（Ａ）の状態から図１（Ｂ）の状態に回転させることができる。このときの第１リブ溝１１６ａ，１１６ｂ，第２リブ溝１１７ａ，１１７ｂ，第３リブ溝１１８ａ，１１８ｂと第１リブ１３７ａ，１３７ｂ，第２リブ１３８ａ，１３８ｂとの位置関係、及び第１ラチェット部１１９ａ，１１９ｂ，第２ラチェット部１２０ａ，１２０ｂ，第３ラチェット部１２１ａ，１２１ｂと第１ラチェット部１３９ａ，１３９ｂ，第２ラチェット部１４０ａ，１４０ｂ，第３ラチェット部１４１ａ，１４１ｂとの位置関係について図５及び図６を参照して説明する。
【００２７】
図５（Ａ）は、本実施形態の歯科用ミキシング装置１００を筒状体１３０上方から見た平面説明図、同図（Ｂ）は、歯科用ミキシング装置１００の使用前の同図(Ａ)のＡ−Ａ線断面を示す説明図、同図（Ｃ）は、歯科用ミキシング装置１００の使用時の同図(Ａ)のＡ−Ａ線断面を示す説明図である。尚、同図(Ａ)のＡ−Ａ線断面は、本体１１０の一方の貫通孔１１５ａと筒状体１３０の一方の貫通孔１３５ａの各中心部での断面図である。他方の貫通孔１１５ｂと他方の貫通孔１３５ｂにおいても同様であるため、以下の説明では省略する。
【００２８】
次に歯科用ミキシング装置１００の使用前においては、同図（Ｂ）に示すように、筒状体１３０は歯科用ミキシング装置１００に対して傾斜した状態にある。即ち、貫通孔１１５ａの中心軸Ｃ１に対して貫通孔１３５ａの中心軸Ｃ２は傾斜している。このとき、第１リブ１３７ａは第１リブ溝１１６ａに嵌り込み、第２リブ１３８ａは第２リブ溝１１７ａに嵌り込んでいる。この状態の詳細を同図（Ｂ）の右に示す拡大図を参照して説明する。第２リブ１３８ａの断面は点線で示す半径ｒｒの円の一部に形成され、第２リブ溝１１７ａの断面は点線で示す半径ｒｇ（＜半径ｒｒ）の円の一部に形成されている。ここで、半径ｒｒは半径ｒｇよりも大きいため、第２リブ溝１１７ａの縁部に第２リブ１３８ａの円周部が当接することになる。
【００２９】
また、第１リブ１３７ａの断面は点線で示す半径ｒｒの円の一部に形成され、第１リブ溝１１６ａの断面も点線で示す半径ｒｒの円の一部に形成されている。このため、第１リブ溝１１６ａの円周部の略全面に第１リブ１３７ａの円周部の略全面が当接することになる。これにより、本体１１０に対する筒状体１３０の位置ズレを防止することができる。更に、第１リブ溝１１６ａの半径を第１リブ１３７ａの半径と同径以上とすることで、各リブ１３７ａ等の変形や筒状体１３０の浮き上がりを防止することができる。尚、第１リブ溝１１６ａの円周部と第１リブ１３７ａの円周部とは略全面が当接する必要はなく、第１リブ１３７ａが変形や浮き上がりしない範囲で一部が当接もしくは離間していても良い。
【００３０】
歯科用ミキシング装置１００の使用時においては、同図（Ｃ）に示すように、筒状体１３０は歯科用ミキシング装置１００に対して直線状となっている。即ち、貫通孔１１５ａの中心軸Ｃ１と貫通孔１３５ａの中心軸Ｃ２は同軸となっている。このとき、第１リブ１３７ａは第２リブ溝１１７ａに嵌り込み、第２リブ１３８ａは第３リブ溝１１８ａに嵌り込んでいる。この状態の詳細を同図（Ｃ）の右に示す拡大図を参照して説明する。第１リブ１３７ａの断面は点線で示す半径ｒｒの円の一部に形成され、第２リブ溝１１７ａの断面は点線で示す半径ｒｇ（＜半径ｒｒ）の円の一部に形成されている。ここで、半径ｒｒは半径ｒｇよりも大きいため、第２リブ溝１１７ａの縁部に第１リブ１３７ａの円周部が当接することになる。即ち、貫通孔１１５ａと貫通孔１３５ａの間は、Ｐ３及びＰ４の２箇所で線嵌合されることになる。よって、歯科用ミキシング装置１００の使用時において、Ｏリング等のシール部材を介さずとも本体１１０から筒状体１３０に向けての反応性物質の移動、即ち第２リブ溝１１７ａと第２リブ１３７ａの間を通る反応性物質の漏れは確実に防止することができる。
【００３１】
また、第２リブ１３８ａの断面は点線で示す半径ｒｒの円の一部に形成され、第３リブ溝１１８ａの断面も点線で示す半径ｒｒの円の一部に形成されている。このため、第３リブ溝１１８ａの円周部の略全面に第２リブ１３８ａの円周部の略全面が当接することになる。これにより、本体１１０に対する筒状体１３０の位置ズレを防止することができる。更に、第３リブ溝１１８ａの半径を第２リブ１３８ａの半径と同径以上とすることで、各リブ１３８ａ等の変形や筒状体１３０の浮き上がりを防止することができる。尚、第３リブ溝１１８ａの円周部と第２リブ１３８ａの円周部とは略全面が当接する必要はなく、第２リブ１３８ａが変形や浮き上がりしない範囲で一部が当接もしくは離間していても良い。この他、図示はしないが回転止めとラチェットとの組み合わせにより筒状体１３０の動きを規制すればリブ溝１１８ａ，１１８ｂが不要となる構成もある。
【００３２】
尚、上記実施形態では、リブ溝やリブの断面形状が半径ｒｇ＜半径ｒｒの円の一部となるように形成したが、線嵌合を確保できればリブ溝やリブの断面形状が半径ｒｇ＞半径ｒｒの円の一部となるように形成しても良い。この場合は、リブの先端がリブ溝の底面に当接する１箇所での線嵌合になる。また、リブ溝やリブの断面形状は円の一部に限定されるものではなく、例えば三角状や楕円状等であっても良い。
【００３３】
図６（Ａ）は、本実施形態の歯科用ミキシング装置１００を筒状体１３０上方から見た平面説明図、同図（Ｂ）は、歯科用ミキシング装置１００の使用前の同図(Ａ)のＡ−Ａ線断面を示す説明図、同図（Ｃ）は、筒状体１３０の回転途中の同図(Ａ)のＡ−Ａ線断面を示す説明図、同図（Ｄ）は、歯科用ミキシング装置１００の使用時の同図(Ａ)のＡ−Ａ線断面を示す説明図である。尚、同図(Ａ)のＡ−Ａ線断面は、本体１１０の一方の第１ラチェット部１１９ａ等と筒状体１３０の一方の第１ラチェット部１３９ａの各中心部での断面図である。他方の第１ラチェット部１１９ｂと他方の第１ラチェット部１３９ｂにおいても同様であるため、以下の説明では省略する。
【００３４】
歯科用ミキシング装置１００の使用前においては、同図（Ｂ）に示すように、筒状体１３０は歯科用ミキシング装置１００に対して傾斜した状態にある。このとき、第１ラチェット部１１９ａは第１ラチェット部１３９ａと噛み合い、第２ラチェット部１２０ａは第２ラチェット部１４０ａと噛み合い、第３ラチェット部１２１ａは第３ラチェット部１４１ａと噛み合っている。各ラチェット部１１９ａ等は楔形状に形成されているため、筒状体１３０は図示矢印方向（使用可能とする方向）には若干の抵抗を持って回転可能であるが、逆方向には回転不可となっている。これにより、筒状体１３０を不用意に回転させて使用可能状態にしてしまうことを防止することができる。
【００３５】
筒状体１３０の回転途中においては、同図（Ｃ）に示すように、筒状体１３０は本体１１０に対して浮いた状態にある。このとき、第１ラチェット部１１９ａは第１ラチェット部１３９ａから外れて第１ラチェット部１３９ａと第２ラチェット部１４０ａの間に位置し、第２ラチェット部１２０ａは第２ラチェット部１４０ａから外れて第２ラチェット部１４０ａと第３ラチェット部１４１ａの間に位置し、第３ラチェット部１２１ａは第３ラチェット部１４１ａから外れて第３ラチェット部１４１ａと摺動面１３３ａの縁の間に位置している。これにより、第１リブ１３７ａは第１リブ溝１１６ａから離間すると共に第２リブ１３８ａは第２リブ溝１１７ａから離間するので、各リブ１３７ａ等やリブ溝１１６ａ等の変形や破損を防止することができる。
【００３６】
歯科用ミキシング装置１００の使用時においては、同図（Ｄ）に示すように、筒状体１３０は本体１１０に対して直線状となっている。このとき、第１ラチェット部１１９ａは第２ラチェット部１４０ａと噛み合い、第２ラチェット部１２０ａは第３ラチェット部１４１ａと噛み合い、第３ラチェット部１２１ａは摺動面１３３ａの縁から外れている。上述したように各ラチェット部１１９ａ等は楔形状に形成されているため、筒状体１３０は図示矢印方向（使用不可とする方向）には回転不可となっている。これにより、筒状体１３０の使用可能状態を維持することができると共に、本体１１０に対する筒状体１３０の位置ズレを防止することができる。
【００３７】
図７は、本発明の歯科用ミキシング装置の第２の実施形態を示す斜視説明図であり、同図（Ａ）は歯科用ミキシング装置の全体構成を示す斜視説明図、同図（Ｂ）は歯科用ミキシング装置の主要部を分解した状態を示す斜視説明図である。この歯科用ミキシング装置は、同図（Ａ）に示すように、それぞれ反応性物質が封入されている二つの収納容器２１１a,２１１bからなる本体２１０と、その内部に該反応性物質を混合するためのミキシングエレメント（図示なし）を備えている筒状体２３０と、本体２１０と筒状体２３０を回転自在に結合するジョイントリング２５０とからなる。しかして、２種類の反応性物質が収納容器２１１a,２１１bから押し出され筒状体２３０内を通過するうちに混合されその先端に位置している吐出口２３０aから吐出される簡易混合型の歯科用ミキシング装置２００である。
【００３８】
より詳しく説明すると、同図（Ｂ）に示すように、本体２１０の図示上面は筒状体２３０の図示下面と合わされ、ジョイントリング２５０が筒状体２３０の先端側から嵌め込まれ、本体２１０の図示上部周面に形成されたオネジ２１４とジョイントリング２５０の内周面に形成されたメネジ２５１とが螺合され、ジョイントリング２５０と本体２１０で筒状体２３０が挟持された状態となっている。このような構成となすことにより筒状体２３０はジョイントリング２５０により本体２１０に対し反応性物質の押出し方向と平行な軸方向に押圧されて密着しつつ該軸を中心に図示矢印方向に回転可能になる。しかして、筒状体２３０を９０°回転することにより本体２１０を封鎖状態から連通状態に移行し、しかる後、収納されている２種類の反応性物質を本体２１０内から筒状体２３０に向けて押し出すことにより、筒状体２３０内で混合して筒状体２３０の先端に設けられている吐出口２３０ａから吐出する。このような本願発明に係る歯科用ミキシング装置２００の詳細について、更に図を用いて説明する。
【００３９】
図８（Ａ）は、上記本体２１０を上方から見た平面説明図、同図（Ｂ）は、上記本体２１０を側方から見た平面説明図、図９は、上記本体２１０の主要部を示す斜視説明図、図１０（Ａ）は、上記筒状体２３０を側方から見た平面説明図、同図（Ｂ）は、上記筒状体２３０を下方から見た平面説明図、図１１は、上記筒状体２３０の主要部を示す斜視説明図である。
本体２１０は、図８及び図９に示すように、中空円筒状の二連の収納容器２１１ａ，２１１ｂと、該収納容器２１１ａ，２１１ｂの図示上端に一体成形された接続部２１２とで構成されている。収納容器２１１ａ，２１１ｂ内には、２種類の反応性物質がそれぞれ封入されている。接続部２１２には、後述の筒状体２３０の下端にある摺動面２３３ａ（図１０及び図１１参照）とその回転時に摺動接触する摺動面２１３ａを有する摺動部２１３と、筒状体２３０を回転可能に結合するオネジ２１４と、反応性物質を筒状体２３０へ通す円形状の二つの貫通孔２１５ａ，２１５ｂが設けられている。前記二つの摺動面２１３ａ，２３３ａの曲率が仮想上の中心を共有する球体と一致するようにして製作される必要があることは言うまでもない。
【００４０】
摺動部２１３の図示上部の摺動面２１３ａは、前記仮想球体の球面の一部を切り出した凹形状に形成されており、筒状体２３０の球面の一部を切り出した凸形状の摺動面２３３ａ（図１０及び図１１参照）と相対して面するようになっている。オネジ２１４は、摺動部２１３の周面２１３ｂに形成されており、ジョイントリング２５０の内周面に形成されたメネジ２５１（図７参照）と螺合される。貫通孔２１５ａ，２１５ｂは、摺動部２１３にて収納容器２１１ａ，２１１ｂの内部とそれぞれ繋がり、かつ、摺動面２１３ａの中心に対し点対称、即ち１８０°隔てた配置となるように穿孔されている。摺動面２１３ａには、筒状体２３０との間をシールする円形状の４つのリブ溝２１６ａ，２１６ｂ，２１７ａ，２１７ｂ（以下、第１リブ溝２１６ａ，２１６ｂ，第２リブ溝２１７ａ，２１７ｂという）が設けられている。第１リブ溝２１６ａ，２１６ｂは、貫通孔２１５ａ，２１５ｂをそれぞれ囲むように形成されている。また、第２リブ溝２１７ａ，２１７ｂは、第１リブ溝２１６ａ，２１６ｂの間であって、摺動面２１３ａの中心に対し点対称、即ち１８０°隔てた配置となるように形成されている。即ち、摺動面２１３ａの中心から所定距離の位置で９０°間隔に第１リブ溝２１６ａ，第２リブ溝２１７ａ，第１リブ溝２１６ｂ，第２リブ溝２１７ｂの順で配備されている。
【００４１】
筒状体２３０は、図１０及び図１１に示すように、中空円筒状のハウジング２３１と、このハウジング２３１の図示下端に位置するジョイントキャップ２３２とで構成されている。ハウジング２３１には、複数種の反応性物質を混合するためのミキシングエレメントが内蔵されているがこの図においては図示していない。このハウジング２３１は、ジョイントキャップ２３２の図示上部において嵌着、螺着、溶着及び接着等の手段を用いて一体化されている。ジョイントキャップ２３２には、前述したように摺動部２１３と摺動する摺動部２３３と、反応性物質をハウジング２３１へ通す円形状の二つの貫通孔２３５ａ，２３５ｂと、二つの封止部２３６ａ，２３６ｂが設けられている。封止部２３６ａ，２３６ｂは、歯科用ミキシング装置２００の使用前の状態では、貫通孔２１５ａ，２１５ｂ（図８及び図９参照）と相対しており、貫通孔２３５ａ，２３５ｂは、歯科用ミキシング装置２００の使用時の状態では、貫通孔２１５ａ，２１５ｂと相対するように配置されている。
【００４２】
この摺動部２３３について更に説明すると、その摺動面２３３ａの形状は、前述したように仮想球体の一部を切り出した凸形状に形成されており、同じ球体の一部を切り出した凹形状に形成された摺動面２１３ａ（図８及び図９参照）と摺動接触する。貫通孔２３５ａ，２３５ｂは、摺動部２３３にてハウジング２３１の内部とそれぞれ繋がるように穿孔されている。摺動面２３３ａには、本体２１０との間をシールする円形状の４つのリブ２３７ａ，２３７ｂ，２３８ａ，２３８ｂ（以下、第１リブ２３７ａ，２３７ｂ，第２リブ２３８ａ，２３８ｂという）が設けられている。第１リブ２３７ａ，２３７ｂは、貫通孔２３５ａ，２３５ｂをそれぞれ囲むようにして形成されている。また、第２リブ２３８ａ，２３８ｂは、封止部２３６ａ，２３６ｂをそれぞれ囲むように形成されている。即ち、摺動面２３３ａの中心から所定距離の位置で９０°間隔に第１リブ２３７ａ，第２リブ２３８ａ，第１リブ２３７ｂ，第２リブ２３８ｂの順で配備されている。しかして、第１リブ溝２１６ａ，２１６ｂ，第２リブ溝２１７ａ，２１７ｂと第１リブ２３７ａ，２３７ｂ，第２リブ２３８ａ，２３８ｂとの位置関係及び作用効果は、第１の実施形態の歯科用ミキシング装置１００と同様であるが、以下に簡単に説明する。
【００４３】
先ず、歯科用ミキシング装置２００の使用前の状態を説明する。第１リブ２３７ａは第２リブ溝２１７ａに嵌り込み、第２リブ２３８ａは第１リブ溝２１６ａに嵌り込んでいる。このときは図５で説明したように、貫通孔２１５ａと封止部２３６ａの間は、２箇所で線嵌合されることになる。よって、歯科用ミキシング装置２００の使用前において、Ｏリング等のシール部材を介さずとも本体２１０から第１リブ溝２１６ａと第２リブ２３８ａの間を通る反応性物質の漏れを確実に防止することができる。同様に、第１リブ溝２１６ｂと第２リブ２３８ｂの間を通る反応性物質の漏れを確実に防止することができる。この他、場合により使用前の反応性物質には押出し圧（吐出のための圧力）が加わらないので、前述のような構成（シール性を確保するための構成）を不要とすることもできる。
次に歯科用ミキシング装置１００の使用時の状態を説明する。第１リブ２３７ａは第１リブ溝２１６ａに嵌り込み、第２リブ２３８ａは第２リブ溝２１７ｂに嵌り込んでいる。このときも貫通孔２１５ａと貫通孔２３５ａの間は、２箇所で線嵌合されることになる。同様に、貫通孔２１５ｂと貫通孔２３５ｂの間は、２箇所で線嵌合されることになる。よって、歯科用ミキシング装置２００の使用時において、Ｏリング等のシール部材を介さずとも本体２１０から筒状体２３０に向けてそれぞれ連通した状態になっている貫通孔２１５ａ，２３５ａ及び２１５ｂ，２３５ｂ間を通る反応性物質の漏れを確実に防止することができる。
【００４４】
図１２は、第３の実施形態の歯科用ミキシング装置３００の主要部を示す斜視説明図であり、同図（Ａ）は、本体３１０と筒状体３３０を合わせた斜視説明図、同図（Ｂ）は、本体３１０と筒状体３３０を回転自在に結合するジョイントリング３５０を嵌め込んだ斜視説明図、同図（Ｃ）は、（Ｂ）のジョイントリング３５０を軸方向にカットした部分縦断面斜視説明図、同図（Ｄ）は、（Ｃ）を側面から見た側面説明図である。同図（Ａ）に示すように、本体３１０の図示上面は筒状体３３０の図示下面と合わされ、同図（Ｂ）に示すように、ジョイントリング３５０が筒状体３３０の先端から嵌め込まれ、同図（Ｃ），（Ｄ）に示すように、本体３１０の図示上部周面に形成された円環状のリブ３１１にジョイントリング３５０の内周面に形成された円環状のリブ３５１が嵌合され、ジョイントリング３５０と本体３１０で筒状体３３０が挟持される。
【００４５】
即ち、ジョイントリング３５０のリブ３５１が本体３１０のリブ３１１に当接したときにリブ３５１周辺部が弾性変形して拡径し、リブ３５１がリブ３１１を乗り越えたときに復元する。これにより、筒状体３３０はジョイントリング３５０により本体３１０に対し反応性物質の押出し方向と平行な軸方向に押圧されて密着しつつ該軸を中心に回転可能に取り付けられるが、上記押圧はジョイントリング３５０の弾性力に依存するので、第２の実施形態のジョイントリング２５０のネジ締結力に依存する場合に比べて上記回転の自在度を高めることができる。
尚、上述した各実施形態では、２種類の反応性物質を混合する歯科用ミキシング装置１００に適用する場合について説明したが、３種類以上の反応性物質を混合する歯科用ミキシング装置に対しても同様に適用することができる。
【図面の簡単な説明】
【００４６】
【図１】本発明の歯科用ミキシング装置の第１の実施形態を示す斜視説明図である。
【図２】図１の本体の主要部を示す斜視説明図である。
【図３】図１の筒状体の主要部を示す斜視説明図である。
【図４】図１の本体と筒状体の取り付け部を示す平面説明図である。
【図５】同図(Ａ)は、図１の歯科用ミキシング装置を筒状体上方から見た平面説明図、同図（Ｂ）は、歯科用ミキシング装置の使用前の同図(Ａ)のＡ−Ａ線断面を示す説明図、同図（Ｃ）は、歯科用ミキシング装置の使用時の同図(Ａ)のＡ−Ａ線断面を示す説明図である。
【図６】同図(Ａ)は、図１の歯科用ミキシング装置を筒状体上方から見た平面説明図、同図（Ｂ）は、歯科用ミキシング装置の使用前の同図(Ａ)のＡ−Ａ線断面を示す説明図、同図（Ｃ）は、筒状体の回転途中の同図(Ａ)のＡ−Ａ線断面を示す説明図、同図（Ｄ）は、歯科用ミキシング装置の使用時の同図(Ａ)のＡ−Ａ線断面を示す説明図である。
【図７】本発明の歯科用ミキシング装置の第２の実施形態を示す斜視説明図であり、同図（Ａ）は歯科用ミキシング装置の全体構成を示す斜視説明図、同図（Ｂ）は歯科用ミキシング装置の主要部を分解した状態を示す斜視説明図である。
【図８】同図（Ａ）は、図７の本体を上方から見た平面説明図、同図（Ｂ）は、図７の本体を側方から見た平面説明図である。
【図９】図７の本体の主要部を示す斜視説明図である。
【図１０】同図（Ａ）は、図７の筒状体を側方から見た平面説明図、同図（Ｂ）は、図７の筒状体を下方から見た平面説明図である。
【図１１】図７の筒状体の主要部を示す斜視説明図である。
【図１２】本発明の第３の実施形態の歯科用ミキシング装置の主要部を示す斜視説明図であり、同図（Ａ）は、本体と筒状体を合わせた斜視説明図、同図（Ｂ）は、本体と筒状体を回転自在に結合するジョイントリングを嵌め込んだ斜視説明図、同図（Ｃ）は、（Ｂ）のジョイントリングを軸方向にカットした部分縦断面斜視説明図、同図（Ｄ）は、（Ｃ）を側面から見た側面説明図である。
【符号の説明】
【００４７】
１００，２００，３００  歯科用ミキシング装置，１１０，２１０，３１０  本体，１１１ａ，１１１ｂ，２１１ａ，２１１ｂ  収納容器，１１２，２１２  接続部，１１３，２１３  摺動部，１１３ａ，２１３ａ  摺動面，１１４ａ，１１４ｂ  軸受，１１４ａａ，１１４ｂｂ  Ｕ字状溝，１１５ａ，１１５ｂ，２１５ａ，２１５ｂ  貫通孔，１１６ａ，１１６ｂ，２１６ａ，２１６ｂ  第１リブ溝，１１７ａ，１１７ｂ，２１７ａ，２１７ｂ  第２リブ溝，１１８ａ，１１８ｂ  第３リブ溝，１１９ａ，１１９ｂ  第１ラチェット部，１２０ａ，１２０ｂ  第２ラチェット部，１２１ａ，１２１ｂ  第３ラチェット部，１２０  連結部,１３０，２３０，３３０  筒状体，１３０ａ，２３０ａ  吐出口，１３１，２３１  ハウジング，１３２，２３２  ジョイントキャップ，１３３，２３３  摺動部，１３３ａ，２３３ａ  摺動面，１３４ａ，１３４ｂ  回転軸，１３５ａ，１３５ｂ，２３５ａ，２３５ｂ  貫通孔，１３６ａ，１３６ｂ，２３６ａ，２３６ｂ  封止部，１３７ａ，１３７ｂ，２３７ａ，２３７ｂ  第１リブ，１３８ａ，１３８ｂ，２３８ａ，２３８ｂ  第２リブ，１３９ａ，１３９ｂ  第１ラチェット部，１４０ａ，１４０ｂ  第２ラチェット部，１４１ａ，１４１ｂ  第３ラチェット部、３１１，３５１  リブ
【図１】
2009291234.tif 000003
【図２】
2009291234.tif 000004
【図３】
2009291234.tif 000005
【図４】
2009291234.tif 000006
【図５】
2009291234.tif 000007
【図６】
2009291234.tif 000008
【図７】
2009291234.tif 000009
【図８】
2009291234.tif 000010
【図９】
2009291234.tif 000011
【図１０】
2009291234.tif 000012
【図１１】
2009291234.tif 000013
【図１２】
2009291234.tif 000014